(57)【要約】【課題】商用電源で駆動されるモータで駆動するパルセータ式洗濯機において、洗濯後の衣類のからみを効果的ほぐし、衣類を容易に取り出せる洗濯機を実現する。【解決手段】洗濯機本体１と、洗濯機本体１内に防振支持される受筒３と、受筒３内に回転自在に収納される洗濯脱水槽４と、洗濯脱水槽４底部に回転自在に配設されるパルセータ５と、洗濯脱水槽４とパルセータ５を回転駆動する商用電源で駆動されるモータ７と、モータ７の運転時間を制御して洗濯行程を行なう制御手段とを備え、制御手段は、最終脱水後に、モータ７を短時間ＯＮ、ＯＦＦさせてパルセータ５を回転させる。【選択図】図２
2018079061.tif 000002
【特許請求の範囲】
【請求項１】
洗濯機本体と、前記洗濯機本体内に防振支持される受筒と、前記受筒内に回転自在に収納される洗濯脱水槽と、前記洗濯脱水槽底部に回転自在に配設されるパルセータと、前記洗濯脱水槽と前記パルセータを回転駆動する商用電源で駆動されるモータと、前記モータの運転時間を制御して洗濯行程を行なう制御手段とを備え、
前記制御手段は、最終脱水後に、前記モータを短時間ＯＮ、ＯＦＦさせて前記パルセータを回転させることを特徴とする洗濯機。
【請求項２】
前記制御手段は、前記モータのＯＮ、ＯＦＦ時間の異なる運転を行い、前段の運転よりも、後段の運転の方がＯＮ、ＯＦＦ時間を短く設定した請求項１に記載の洗濯機。
【請求項３】
前記後段の運転のＯＮ、ＯＦＦ時間は、０．５ｓｅｃ以上に設定した請求項２に記載の洗濯機。
【発明の詳細な説明】
【技術分野】
【０００１】
本発明は、一般家庭で使用される洗濯機に関するものである。
【背景技術】
【０００２】
従来、洗濯機の構成は、図３に示すような構成が一般的であった。以下に、 その構成について説明する。
【０００３】
図３において、洗濯機本体１は、内部にサスペンション機構２により受筒３を懸垂防振支持している。受筒３内には、洗濯脱水槽４が回転自在に配設されている。洗濯脱水槽４には、中央底部にパルセータ５が回転自在に配設されている。伝達機構部６は、内部に洗濯時の減速ギアおよび洗濯・脱水軸の切り換えクラッチと脱水時のブレーキを内蔵している。モータ７は受筒３の底部に取り付けられ、ベルト８を介してモータ７の動力を洗濯脱水槽４とパルセータ５に伝達する。
【０００４】
以上のように構成された洗濯機について、動作を以下に説明する。
【０００５】
洗濯する際には、洗濯脱水槽４に洗濯物と水及び洗剤を投入し、伝達機構部６のクラッチを洗濯側に切り換えて、モータ７の動力を、ベルト８と伝達機構部６を介してパルセータ５に伝達する。パルセータ５の回転により受筒３内に供給された水を動かし、発生した水の流れにより洗濯物を動かして洗濯物どうし、または洗濯脱水槽４、パルセータ５との接触によるこすれにより洗濯が行われる。
【０００６】
脱水時には、洗濯脱水槽４に洗濯物を投入し、伝達機構部６のクラッチを脱水側に切り換えて、モータ７の動力をベルト８、伝達機構部６を介して、洗濯脱水槽４に伝達して洗濯脱水槽４を高速回転させる。洗濯脱水槽４の高速回転による遠心力によって水分を洗濯物から分離することで脱水が行われる。
【０００７】
脱水が完了した衣類は、洗濯脱水槽４の高速回転による遠心力によって洗濯脱水槽４外郭に押し付けられた状態となっている。この状態の衣類は、それぞれがからみ合った状態で洗濯脱水槽４外郭に押し付けられている場合が多く、衣類を洗濯機から取り出す作業は容易ではない。
【０００８】
そこで、伝達機構部６のクラッチを洗濯脱水槽４側に切り換えて、モータ７の動力を、ベルト８と伝達機構部６を介してパルセータ５に伝達し、パルセータ５の回転により、衣類を揺り動かすことで、からんだ衣類を洗濯脱水槽４内にばらけさせることが提案されている（例えば、特許文献１参照）。
【０００９】
しかしながら、このような従来の方法では、衣類は、洗濯脱水槽４内に広がるのみであり、衣類同士のからみつきを外すことは十分にできない。そのため、使用者が衣類を取り出す際には、衣類同士がからみあったままとなっている。この状態では、使用者は、からみ合った複数の衣類を同時に取り出すことになり、体への負荷が大きくなる。
【００１０】
このような課題を解決するために、モータ７として、インバータ装置により制御されるインバータモータを用い、最終脱水後の「衣類を洗濯脱水槽からはがす工程」と「衣類のからみをほぐす工程」の二段階に分けたパルセータ５の回転運動により衣類同士のからみをほぐす機能をもたせることが考えられる。
【先行技術文献】
【特許文献】
【００１１】
【特許文献１】特開昭６０−１３９２８５号公報
【発明の概要】
【発明が解決しようとする課題】
【００１２】
しかしながら、このような構成では、入力電力に対する応答性のよいインバータモータを利用し、制御手段は、制御回路を介してインバータモータへの入力電力を短時間の間にＯＮ、ＯＦＦを切り替える必要がある。この構成では、インバータモータを用いる必要があるため、高価になるという課題があった。
【００１３】
本発明は、上記従来の課題を解決するもので、インバータ装置を用いず、商用電源で駆動されるモータで駆動するパルセータ式の洗濯機においても、衣類同士のからみをほぐす機能をもたせた洗濯機を提供することを目的としている。
【課題を解決するための手段】
【００１４】
本発明の洗濯機は、上記目的を達成するために、洗濯機本体と、前記洗濯機本体内に防振支持される受筒と、前記受筒内に回転自在に収納される洗濯脱水槽と、前記洗濯脱水槽底部に回転自在に配設されるパルセータと、前記洗濯脱水槽と前記パルセータを回転駆動する商用電源で駆動されるモータと、前記モータの運転時間を制御して洗濯行程を行なう制御手段とを備え、前記制御手段は、最終脱水後に、前記モータを短時間ＯＮ、ＯＦＦさせて前記パルセータを回転させるものである。
【００１５】
これにより、インバータモータを有さない洗濯機においても、洗濯終了後の衣類同士のからみをほぐし、衣類を洗濯機から容易に取り出すことができる。
【発明の効果】
【００１６】
本発明の洗濯機は、商用電源で駆動されるモータを用いるパルセータ式洗濯機において、洗濯後の衣類同士のからみを効果的に解消することができる。
【図面の簡単な説明】
【００１７】
【図１】インバータ装置により制御されるモータを有する洗濯機のパルセータの回転数と時間の関係図
【図２】商用電源で駆動されるモータを有する同洗濯機のパルセータの回転数と時間の関係図
【図３】従来の洗濯機の側断面図
【発明を実施するための形態】
【００１８】
第１の発明は、洗濯機本体と、前記洗濯機本体内に防振支持される受筒と、前記受筒内に回転自在に収納される洗濯脱水槽と、前記洗濯脱水槽底部に回転自在に配設されるパルセータと、前記洗濯脱水槽と前記パルセータを回転駆動する商用電源で駆動されるモータと、前記モータの運転時間を制御して洗濯行程を行なう制御手段とを備え、前記制御手段は、最終脱水後に、前記モータを短時間ＯＮ、ＯＦＦさせて前記パルセータを回転させるものである。
【００１９】
これにより、洗濯脱水槽内部に張り付いた衣類をからはがし、衣類のからみがほぐされるため、洗濯機の使用者は衣類を一つずつ取り出すことができ、衣類取り出し時の体への負荷を軽減することができる。
【００２０】
第２の発明は、特に、第１の発明の前記制御手段は、前記モータのＯＮ、ＯＦＦ時間の
異なる運転を行い、前段の運転よりも、後段の運転の方がＯＮ、ＯＦＦ時間を短く設定したものである。
【００２１】
第３の発明は、特に、第２の発明の前記後段の運転のＯＮ、ＯＦＦ時間は、０．５ｓｅｃ以上に設定したものである。
【００２２】
以下、本発明の実施の形態について、図面を参照しながら説明する。なお、従来例と同じ構成のものは同一符号を付して説明を省略する。また、この実施の形態によって本発明が限定されるものではない。
【００２３】
（実施の形態１）
図１、図２は、パルセータの回転数と時間の関係を示す図である。
【００２４】
図１は、インバータ装置により制御されるインバータモータを用いた洗濯機における「はがし行程」と「ほぐし行程」のモータ動作のシーケンスを示す。
【００２５】
洗濯の最終脱水終了後、洗濯された衣類は、洗濯脱水槽の内壁面や底部に、互いに絡み合い、押し固められた状態になっている。このような衣類に対して、パルセータを回転させることで、衣類を洗濯脱水槽からはがす「はがし行程」を行う。
【００２６】
「はがし行程」は、１ｍｉｎの間、１．２ｓｅｃ間モータをＯＮし、０．８ｓｅｃモータをＯＦＦする。
【００２７】
また、からみ合った衣類をほぐす「ほぐし行程」は、３ｍｉｎの間、０．２ｓｅｃ間モータをＯＮし、０．３ｓｅｃモータをＯＦＦする。
【００２８】
このようにインバータモータの運転時間を設定することにより、衣類のはがしとほぐしを良好に行なうことができる。
【００２９】
インバータ装置によるインバータ制御を行なわない、一般のモータ制御を行なう場合には、特に「ほぐし行程」のように、モータの通電時間を極端に短い時間に設定すると、モータが安定した挙動を示すことができず、衣類を揺り動かすことができない。また、モータの通電時間を長い時間で設定すると、衣類が大きく動くため、よりからみを強める結果になる場合がある。
【００３０】
本実施の形態は、インバータ装置によるインバータ制御を行なわない、商用電源により駆動されるモータを用いるものである。
【００３１】
図２は、商用電源により駆動されるモータを用いた洗濯機における「はがし行程」と「ほぐし行程」のモータ動作のシーケンスを示す。
【００３２】
図２に示すように、本実施の形態では、インバータモータを用いる場合と同様に、「はがし行程」は、１ｍｉｎの間、１．２ｓｅｃ間モータをＯＮし、０．８ｓｅｃモータをＯＦＦする。
【００３３】
からみ合った衣類をほぐす「ほぐし行程」では、３ｍｉｎの間、０．６ｓｅｃ間モータをＯＮし、０．６ｓｅｃモータをＯＦＦする。
【００３４】
一般のモータを用いる場合には、このようにモータの運転時間を制御することにより、インバータモータを用いた場合と同様に、モータの動作が安定し、効率的に、衣類のはが
しと、ほぐしを行なうことができる。
【産業上の利用可能性】
【００３５】
以上のように、本発明にかかる洗濯機は、一般のモータを用いるパルセータ式洗濯機において、洗濯後の衣類のはがしとほぐしを効果的に行ない、衣類の洗濯機からの取り出しを容易にすることが可能となるので、一般家庭で使用される洗濯機等として有用である。
【符号の説明】
【００３６】
１  洗濯機本体
２  サスペンション機構
３  受筒
４  洗濯脱水槽
５  パルセータ
６  伝達機構部
７  モータ
８  ベルト
【図１】
2018079061.tif 000003
【図２】
2018079061.tif 000004
【図３】
2018079061.tif 000005